(57)【要約】      （修正有）【課題】本発明は、ボタンの連動を防止する多方向ボタン及び該多方向ボタンを使用するノートパソコンを提供する。【解決手段】本発明に係る複数の接触点２６０を有する電子機器に用いられる多方向ボタン２０は、一つのキーマット３００を含み、該キーマット３００の背面に前記電子機器の複数の接触点２６０と対応する少なくとも二つのボス３０４を設け、前記キーマット３００の背面に支持部材３０６，３０８を更に設け、該支持部材３０６，３０８は前記少なくとも二つのボス３０４の間に配置され、前記少なくとも二つのボス３０４と支持部材３０６，３０８は支持部材３０６，３０８を支点とするてこを形成する。本発明に係るノートパソコンは、基板２４、前記多方向ボタン２０及び制御板２６を含み、前記多方向ボタン２０と制御板２６とは前記基板２４に固定される。【選択図】図６
2007087945.tif 000002
【特許請求の範囲】
【請求項１】
複数の接触点を有する電子機器に用いられる多方向ボタンであって、
一つのキーマットを含み、該キーマットの背面に前記電子機器の複数の接触点と対応する少なくとも二つのボスを設ける多方向ボタンにおいて、
前記キーマットの背面に支持部材を設け、該支持部材は前記少なくとも二つのボスの間に配置され、
前記少なくとも二つのボスと支持部材とは該支持部材を支点とするてこを形成することを特徴とする多方向ボタン。
【請求項２】
前記キーマットの側辺には、前記多方向ボタンを前記電子装置に固定するための弾性アームが設けられることを特徴とする請求項１に記載の多方向ボタン。
【請求項３】
前記弾性アームのキーマットと連結した部分には開口が設けられることを特徴とする請求項２に記載の多方向ボタン。
【請求項４】
前記支持部材は一つの突状体を含み、
該突状体は前記弾性アームと同じ直線上に配置されることを特徴とする請求項２に記載の多方向ボタン。
【請求項５】
前記支持部材は二つの突起を含み、
該二つの突起の連結線は少なくとも前記少なくとも二つのボスを二つの部分に分けることを特徴とする請求項２に記載の多方向ボタン。
【請求項６】
前記二つの突起の底部は円弧形であることを特徴とする請求項５に記載の多方向ボタン。
【請求項７】
基板、請求項１〜６のいずれか一項に記載の多方向ボタン、及び制御板を含み、
前記多方向ボタンと前記制御板とは前記基板に固定されることを特徴とするノートパソコン。
【発明の詳細な説明】
【技術分野】
【０００１】
本発明は、ボタン、特に多方向ボタン及び該多方向ボタンを使用するノートパソコンに関するものである。
【背景技術】
【０００２】
近年、コンピュータ、ノートパソコン、インターネット製品、通信製品及び各種消費電子製品の機能が増加すると共に、相応のボタンの数量も多くなっている。一方、各種類の携帯製品の小型化が進んでいるので、ボタンの接触面の面積も縮小しなければならない。前記ボタンの接触面の面積を縮小した場合には、同時に複数のボタンが押下され、誤動作を起こすことを原因として、使用時の不便となる。
【０００３】
この問題を解決するために、一つのボタンで多くの操作インストラクションを達成できる設計をした。このようなボタンは多功能ボタン又は多方向ボタンと呼ばれている。
【０００４】
現在、多方向ボタンは、既にテレビ、冷蔵庫及びエアコンなどの家庭用電気機器のリモコンに使われていて、主に電気機器の音量調節、チャンネル調節、温度及び湿度調節に使われている。該多方向ボタンは、通常柔軟ゴムを原材料として、距離がより大きな両端部が異なる機能の接触点として利用される。しかし、このような多方向ボタンの両端部は同時に押下され、誤動作を起こす恐れがあるから、操作性に対しての要求がより低く、誤動作を起しても不良効果が生じない製品だけに運用されている。また、一部分の携帯電話の横側のボタンは、例えば、硬性プラスチックなどの硬性材料を採用しても、ボタンの連動などの問題は完全に解決できなかった。
【０００５】
例えば、コンピュータ、ノートパソコンなどの操作性に対しての要求が高い装置において、一つの誤動作によりデータを失ったり、その他予想できない問題が発生する場合がある。従って、ボタンの連動を防止することが多方向ボタンの重要な設計ポイントとなっている。
【発明の開示】
【発明が解決しようとする課題】
【０００６】
本発明の目的は、前記の課題を解決し、ボタンの連動を防止できる多方向ボタンを提供することである。
【課題を解決するための手段】
【０００７】
本発明に係る複数の接触点を有する電子機器に用いられる多方向ボタンは、一つのキーマットを含み、該キーマットの背面に前記電子機器の複数の接触点と対応する少なくとも二つのボスを設け、前記キーマットの背面に支持部材を更に設け、該支持部材は前記少なくとも二つのボスの間に配置され、前記少なくとも二つのボスと支持部材とは該支持部材を支点とするてこを形成する。
【０００８】
本発明に係るノートパソコンは、基板、前記多方向ボタン及び制御板を含み、前記多方向ボタンと制御板とは前記基板に固定される。
【発明の効果】
【０００９】
本発明に係る多方向ボタンは支持部材の支えがあるから、少なくとも二つのボスのうち任意の一つが押下され、前記支持部材の他の一方は前記ボスに相対して上がるから、ボタンの連動という誤動作を防止することができる。
【発明を実施するための最良の形態】
【００１０】
図１は本発明の第一実施形態に係わる多方向ボタン２０をノートパソコン１０に応用した斜視図である。ノートパソコン１０において、従来のマウスに代えてスライドパッド１２を使用する。操作便利のため、スライドパッド１２はノートパソコン１０のキーボート１４の下方に配置される。指をスライドパッド１２と接触して滑らせることにより、前記ポインタ１７を前記モニター１８内で移動させることができる。
【００１１】
操作に便利なように、マウスの機能をする左のボタン１６ａと右のボタン１６ｂとはスライドパッド１２の周りに配置される。このようにすると、スライドパッド１２で一つの指が滑らすように動かす同時に、他の指が前記左のボタン１６ａ又は右のボタン１６ｂを押すことができる。ユーザーがノートパソコン１０を操作する時に、ページをめくる動作をする。でも、従来のコンピュータでは、マウスのホイールボタンでページをめくることが多い。本実施形態において、多方向ボタン２０はスライドパッド１２の下方に設置され、ページをめくるなどの動作を制御する。もっと操作に便利なように、多方向ボタン２０は左のボタン１６ａと右のボタン１６ｂとの間に設計されている。このように設計すると、従来の一般的なマウスの配置と同じであるから、操作習慣に合うこととなる。
【００１２】
図２は図１の多方向ボタン２０及び関連部材の分解図である。該関連部材はノートパソコン１０の中に収容されている基板２４及び制御板２６を含む。その中で、制御板２６は多方向ボタン２０と基板２４との間に設置される。制御板２６の上に細長状の通孔２６４が設けられ、通孔２６４の両側部にそれぞれ接触点２６０が設けてある。基板２４は、制御板２６の通孔２６４と対応位置に突起２４０が設けられる。組付けた後、該突起２４０は制御板２６の通孔２６４内に収容される。多方向ボタン２０は制御板２６と相応して、二つの接触点２６０と接触するように構成される。
【００１３】
図３を参照しながら本発明の実施形態の多方向ボタン２０の具体的な構成を説明する。多方向ボタン２０は、キーマット３００と、キーマット３００の両側部に水平に延在された二つの弾性アーム４００とを含む。前記二つの弾性アーム４００におけるキーマット３００と連結した部分にＵ字形開口４０２が形成される。該Ｕ字形開口４０２の開口はキーマット３００の方へ向いている。二つの弾性アーム４００の自由端部にはそれぞれ円形穴４０４を設け、螺子、リベットなどの固定部材と、円形穴４０４との、係合により多方向ボタン２０を基板２４に固定する。
【００１４】
図４は本発明の多方向ボタン２０の背面の斜視図である。キーマット３００は長方形の押下面３１２及び該押下面３１２の縁部に沿って垂直に延在し形成した側壁３１４を含む。側壁３１４の底部が水平に延在しつば３１０を形成している。押下面３１２の内表面には、二つのボス３０４、及び一つの支持部材が形成される。該二つのボス３０４と支持部材とは、支持部材を支点とするてこを形成する。該支持部材は、突状体３０６と、二つの半円柱形状突起３０８とを含む。突状体３０６、二つの突起３０８及び前記二つの弾性アーム４００は同軸上に設置され、前記二つのボス３０４はそれぞれ突状体３０６の両側部に設置される。突状体３０６の底部は円弧形状に形成される。二つのボス３０４は、各突状体３０６の両側部に設置され、その連結線が突状体３０６と略垂直に構成される。本実施形態の二つのボス３０４は断面が十字形にされ、各制御板２６の二つの接触点２６０と対応するように構成される。
【００１５】
多方向ボタン２０の一端部が外力を受けて押下された場合には、二つの弾性アーム４００は連動して変形される。多方向ボタン２０を押下する外力が無くなった場合には、二つの弾性アーム４００はそれ自体の変形による弾力で多方向ボタン２０を元の状態に戻すようになっている。二つの弾性アーム４００のキーマット３００と連結した部分にＵ字形開口４０２が設けられ、弾性アーム４００を二つの部分に分けるので、弾性アーム４００が変形される場合には、該二つの部分は方向が相反する弾力を生じる。同時に多方向ボタン２０を元の状態に戻すようにするから、より良い弾性効果を得る。
【００１６】
図５は本発明の多方向ボタン２０を装着した基板２４と制御板２６との斜視図である。図６は図５のＶＩ線に沿った断面図である。突状体３０６と半円形の突起３０８の頂部は基板２４のボス２６４と接触する。外力がない時にキーマット３００の上面と制御板２６の平面とは略平行になっている。
【００１７】
多方向ボタン２０を操作する場合、前記二つのボス３０４所在の任意の一端は外力を受けて押下される。該一端所在のボス３０４は二つの弾性アーム４００所在の直線を軸にして回動して、制御板２６の対応接触点２６０と押下する。二つの突起３０８と突状体３０６の頂部が円弧形に形成されているので、多方向ボタン２０の回転が平滑になる。同時に、外力を受けなかったボスの方が相応に上がるので、従来のボタンの連動問題を解決できる。外力が無くなった場合には、二つの弾性アーム４００の復元力により多方向ボタン２０は元の状態に戻って、次の押下の準備をする。キーマット３００の中央位置が外力を受ける場合には、突状体３０６により垂直方向で支持されているので、キーマット３００は押下されず、誤動作が生じる恐れはなくなる。また、突状体３０６は、多方向ボタン２０が損壊しないように、キーマット３００の機械的強度を高める効果を有する。
【００１８】
第二実施形態について図７を用いて説明する。該多方向ボタン５００はキーマット５１０と二つの弾性アーム５２０を含み、キーマット５１０の背面５１２に二つの突状体５３０と二つのボス５４０とを設ける。その中で、二つの突状体５３０は同軸上に、二つの弾性アーム５２０と二つの突状体５３０とは同一直線上に設置される。前記ボス５４０の両端は二つの突状体５３０の両側にあって、ボス５４０の両端は各相応の操作接触点と対応する。二つの突状体５３０の高さは同じで、ボス５４０より高い。このような設計の実施形態では、多方向ボタン５００の連動という誤動作が生じず、ボタンを自動的に元の状態に戻すことができる。
【００１９】
第三実施形態について図８を用いて説明する。該多方向ボタン６００は楕円形のキーマット６１０と、楕円形のキーマット６１０の長軸方向の両側に伸ばした二つの弾性アーム６２０とを含む。楕円形のキーマット６１０の背面６１２に突状体６３０と二つのボス６４０とがある。突状体６３０は楕円形のキーマット６１０の短軸上にあり、楕円形のキーマット６１０を二つの部分に分ける。二つのボス６４０は各突状体６３０の両側にあって、相応の操作接触点に対応する。多方向ボタン６００は、二つの弾性アーム６２０の弾性と突状体６３０との、支持により誤動作を防止し、自動的に元の状態に戻ることができる。
【００２０】
上記内容は単に本発明の三つの実施形態のみを表わすだけではない。キーマット３００、，５１０、，６１０の形状は任意な形状を採用してもよく、つば３１０を設けなくてもよい。弾性アーム４００の数、位置及び形状は、弾性特性を有する他の形式に変えてもよい。突起３０８の数、形状及び位置も設計の要求によって適当に変えてもよい。突起３０８の頂部は球面又は他の円筒面に設計してもよい。キーマット３００の背面のボス３０４の形状及び数は設計の要求によって変えることができる。多方向ボタン２０、，５００、，６００は一体成形とすることができる。
【００２１】
前記多方向ボタンは各種電子装置及び機械装置に使うことができる。例えば、携帯電話の方向ボタンは多方向ボタンで左右選択又は二つの操作をする。遊戯製品の制御キーボートも一つの多方向ボタンで多くの機能制御又は多くの方向の選択を行う。、既にディスクドライブなどの消費製品の音量の調節、又は他の多項目選択の制御に使うことができる。多方向ボタンの共通の特徴は、空間を節約し、且つユーザーが一つの操作を行う同時に連動して他の操作を行っても誤操作が生じる恐れがないことである。本発明の多方向ボタンはボタンの連動を防止すると同時に、多方向ボタン自体を自動的に元の状態に戻すことができる。
【図面の簡単な説明】
【００２２】
【図１】本発明の第一実施形態の多方向ボタンをノートパソコンに応用する場合の斜視図である。
【図２】図１の多方向ボタンと制御板及び基板の分解斜視図である。
【図３】図２の多方向ボタンの正面斜視図である。
【図４】図２の多方向ボタンの背面斜視図である。
【図５】図１の多方向ボタンと制御板及び基板の装着した後の斜視図である。
【図６】図５のＶＩ線に沿った断面図である。
【図７】本発明の第二実施形態の多方向ボタンの背面の斜視図である。
【図８】本発明の第三実施形態の多方向ボタンの背面の斜視図である。
【符号の説明】
【００２３】
１０  ノートパソコン
１２  スライドバッド
１４  キーボート
１６ａ  左のボタン
１６ｂ  右のボタン
１７  マウスポインター
１８  モニター
２０  多方向ボタン
２４  基板
２６  制御板
２４０  突起
２６０  接触点
２６４  通孔
３００  キーマット
３０４  ボス
３０６  突状体
３０８  半円形の突起
３１０  つば
３１２  押下面
３１４  側壁
４００  弾性アーム
４０２  Ｕ字形開口
４０４  円形の穴
５００  多方向ボタン
５１０  キ−マット
５２０  弾性アーム
５１２  キーマットの背面
５３０  突状体
５４０  ボス
６００  多方向ボタン
６１０  キーマット
６２０  弾性アーム
６１２  キーマット背面
６３０  突状体
６４０  ボス
【図１】
2007087945.tif 000003
【図２】
2007087945.tif 000004
【図３】
2007087945.tif 000005
【図４】
2007087945.tif 000006
【図５】
2007087945.tif 000007
【図６】
2007087945.tif 000008
【図７】
2007087945.tif 000009
【図８】
2007087945.tif 000010